【事件の表示】
　特願２０１０−５０４１４９「ソリッドステートドライブ最適化用リムーブオンデリート技術」拒絶査定不服審判事件〔平成２０年１０月３０日国際公開、ＷＯ２００８／１３０７９９、平成２２年　７月２２日国内公表、特表２０１０−５２５４５３〕について、次のとおり審決する。
【結　論】
　本件審判の請求は、成り立たない。
【理　由】
第１　手続きの経緯・本願発明
　本願は、平成２０年４月１日（優先権主張２００７年４月１９日、米国、２００８年２月１２日、米国）を国際出願日とする出願であって、平成２４年１０月２９日付けで拒絶理由が通知され、平成２５年４月２６日付けで意見書とともに手続補正書が提出され、同年６月２１日付けで拒絶査定がなされ、同年１０月２５日付けで拒絶査定不服の審判請求がなされたものであって、その請求項１に係る発明は、平成２５年４月２６日付けの手続補正により補正された明細書及び図面の記載からみて、その特許請求の範囲の請求項１に記載された次のとおりのものと認める。（以下、「本願発明」という。）
　
「ソリッドステートドライブ（ＳＳＤ）にストアされたデータに無効の印を付けるシステムであって、
　従来の入出力制御（ＩＯＣＴＬ）インターフェース及び新規なインターフェースを介してオペレーティングシステム及びそのファイルシステムと共に用いるように構成されたＳＳＤドライバーであって、前記新規なインターフェースが、前記ファイルシステムによって削除される情報のファイルの開始位置とファイル長を含む指示を前記オペレーティングシステムから受信するように構成されているものを含み、
　前記ＳＳＤドライバーを前記ＳＳＤに接続して、前記ＳＳＤに、前記ファイルシステムによって削除される前記情報に対応する、前記ＳＳＤにストアされた前記データの部分に無効の印を付けさせるように構成された、他のインターフェースを前記ＳＳＤドライバーが含むことを特徴とするシステム。」
　　　
第２　引用文献
　原査定の拒絶の理由に引用された特開２００６−２１６０３６号公報（以下、「引用文献」という。）には、図面とともに次の記載がある。
（ア）「【背景技術】
【０００２】
　最近デスクトップコンピュータ及びノートブックコンピュータのような多様な形態の個人用コンピュータが市販されている。一般に、こうした個人用コンピュータは、メインメモリと外部貯蔵装置とを含んでいる。ここで、外部貯蔵装置は、ディスク貯蔵媒体を用いたハードディスクドライブ（ＨＤＤ）又はフロッピー（登録商標）ディスクドライブ（ＦＤＤ）である。こうしたディスク貯蔵装置は、一般に価格が低く、メモリ容量が大きいが、マグネチックヘッドに多様な動作（例えば、ディスク探索動作）を遂行するので物理的な衝撃によって損傷されやすく、他の形態のメモリ装置より信頼性が低い短所がある。
【０００３】
　ディスク貯蔵装置のこのような問題によって、フラッシュメモリのような半導体メモリを用いたデータ貯蔵装置が開発されている。フラッシュメモリを用いたデータ貯蔵装置（以下、データ貯蔵装置という。）は、一般に電力を少なく消耗し、コンパクトし、軽く、物理的な衝撃に損傷が少ない長所がある。
【０００４】
　ホストは、論理的アドレスを提供することによってデータ貯蔵装置をアクセスする。ホストで提供された論理的アドレスは、データ貯蔵装置の物理的メモリ空間をアクセスするために物理的アドレスに変換される。」（段落【０００２】〜【０００４】）
　　
（イ）「【００３４】
　図４は、本発明の好適な実施形態によるデータ貯蔵装置を含んだメモリシステムを示すブロック図である。図４に示されたメモリシステム４００は、ホスト１００及びデータ貯蔵装置２００を含む。
【００３５】
　ホスト１００の立場から見るとき、データ貯蔵装置２００は、丸でハードディスクのように読み出し、書き込み、そして消去動作が自由である貯蔵媒体で認識される。データ貯蔵装置２００は、データを貯蔵するフラッシュメモリ２１０とホスト１００とフラッシュメモリ２１０でインターフェース役割を果たすコントローラ２２０とを含む。
【００３６】
　フラッシュメモリ２１０は、好ましくは、ＮＡＮＤフラッシュメモリである。ＮＡＮＤフラッシュメモリは、当業者によく知られたように、ストリング構造を有する多数のメモリセルより成る。こうしたメモリセルの集合をセルアレイという。ＮＡＮＤフラッシュメモリのメモリセルアレイは、複数のブロックから構成される。それぞれのブロックは、複数のページから構成される。それぞれのページは、一つのワードラインを共有する複数のメモリセルから構成される。ＮＡＮＤフラッシュウメモリは、ブロック単位に消去動作が成され、ページ単位に読み出し及び書き込み動作が成される。」（段落【００３４】〜【００３６】）
　
（ウ）「【００３８】
　図４を参照すれば、フラッシュメモリ２１０はＦＡＴ領域２１１の以外にデータ領域２１２と、ログ領域２１３と、メタ領域２１４と、を含む。
【００３９】
　ＦＡＴ領域２１１には、ファイル割り当てテーブル（Ｆｉｌｅ　Ａｌｌｏｃａｔｉｏｎ　Ｔａｂｌｅ；以下、ＦＡＴという。）情報が貯蔵されている。
【００４０】
　ログ領域２１３のログブロックは、前述したログ写像技法によってデータ領域２１２のデータブロックのうち一部データブロックにそれぞれ指定される。すなわち、データ領域２１２のデータブロックにデータを書き込もうとする場合、データは、データブロックに直接書き込まれることではなく、ログ領域２１３の対応するログブロックに貯蔵される。
【００４１】
　しかしながら、データ領域２１２のデータブロックに対応するログ領域２１３のログブロックが指定されていない場合、又はログ領域２１３のログブロックに空白のページがない場合、又はホスト１００の要請がある場合にはマージ動作が遂行される。マージ動作を通じて、ログブロックの有効なページとデータブロックの有効なページが新しいデータブロック又はログブロックに複写される。マージ動作が遂行されれば、写像情報が変更され、変更された写像情報はメタ領域２１４に貯蔵される。
【００４２】
　コントローラ２２０は、ホスト１００からアクセス要請があるとき、フラッシュメモリ２００を制御するように構成される。図４に示されたように、コントローラ２２０は、制御ロジック２２１とワークメモリ２２２とを含む。ワークメモリ２２２には、フラッシュ変換レイヤ（ＦＴＬ）が貯蔵される。制御ロジック２２１は、ホスト１００からのアクセス要請があるとき、ワークメモリ２２２に貯蔵されたフラッシュ変換レイヤ（ＦＴＬ）が動作するようにする。
【００４３】
　図５は、本発明に従うデータ貯蔵装置のマージ方法を示す概念図である。図５を参照すれば、ログブロック５１０の有効なページ５１１、５１３及びデータブロック５２０の有効なページ５２２は、新しいデータブロック５３０に複写される。ログブロック５１０の第１及び第３のページ５１１、５１３は、新しいデータブロック５３０の第１及び第３のページ５３１、５３３にそれぞれ複写される。そして、データブロック５２０の第２のページ５２２は、新しいデータブロック５３０の第２のページ５３２に複写される。
【００４４】
　ここで、本発明に従うデータ貯蔵装置のマージ方法は、ＦＡＴ情報５４０を参照してデータブロック５２０の有効なページを選択的に新しいデータブロック５３０に複写する。
【００４５】
　図５を参照すれば、フラッシュメモリ（図４参照）２１０に貯蔵されたＦＡＴ情報５４０は、データブロック５２０の当該ページの割り当て可否に関する情報を貯蔵する。例えば、データブロック５２０の第１のページ５２１はファイルを貯蔵する場合に使用されないページなので、ＦＡＴ情報５４０にＮＡ（Ｎｏｔ　Ａｌｌｏｃａｔｉｏｎ）で表示されている。データブロック５２０の第２のページ５２２は、ファイルを貯蔵している有効なページなので、ＦＡＴ情報５４０に割り当てを示すＡで表示されている。データブロック５２０の第３及び第５のページ５２３、５２５に該当するＦＡＴ情報５４０には、ＮＡで表示されている。そして、データブロック５２０の第４のページ５２４は、ファイルを貯蔵している有効なページであるが、ファイルシステム観点では消されたページなので削除を示すＤで表示されている。すなわち、データブロック５２０の第４のページ５２４に貯蔵されたデータは、ＦＴＬ観点では有効なページであるが、ファイルシステム観点では削除されてさらに以上有効ではないページである。したがって、データブロック５２０の第４のページ５２４がファイルシステム観点で消されたデータを有していれば、当該ページのデータは新しいデータブロック５３０に複写されない。
【００４６】
　したがって、本発明に従うデータ貯蔵装置のマージ動作は、ＦＡＴ情報を参照してさらに以上有効ではないデータのマージ動作を防止することにある。本発明に従うデータ貯蔵装置のマージ動作は、ファイルシステム観点で不要なページの複写を遂行しないことによって全体マージ動作時間を縮めることができる。
【００４７】
　図６は、本発明に従うデータ貯蔵装置の選択的マージ方法を示す順序図である。
【００４８】
　段階Ｓ６１０では、新しいデータブロック（図５参照）５３０の物理的ページを論理的ページに変換する。段階Ｓ６２０では、ＦＴＬがフラッシュメモリ（図４参照）２１０のＦＡＴ領域２１１でＦＡＴ情報を読み出す。段階Ｓ６３０では、ＦＡＴ情報を参照してデータブロックの当該ページが複写の対象になる有効なページであるかを判断する。すなわち、ＦＡＴ領域の当該ページがファイルを貯蔵する場合に割り当てられているかを判断する。もし、ファイルが貯蔵されていないページであるか、或いは削除されたページであれば、新しいデータブロックに複写せず次段階Ｓ６５０を進行する。段階Ｓ６４０では、データブロックの当該ページがファイルが貯蔵されている有効なページであれば、新しいデータブロックに複写する。段階Ｓ６５０では、データブロックの残りページに関して段階Ｓ６３０〜段階Ｓ６４０を反復遂行する。データブロックのページ複写が全て遂行された後には、ログブロックのページ複写を遂行してマージ動作を終了する。
【００４９】
　以上で調べたように、本発明に従うデータ貯蔵装置及びそれのマージ方法は、データを複写する過程でＦＡＴ情報を参照してファイルシステム観点で有効ではないデータの複写を防止してマージ動作時間を縮める。マージ動作で一番長い時間を所要である部分は、データブロックのページデータを複写する区間である。本発明は、データブロックのページに関して選択的に複写することによって複写区間の時間を縮める。」（段落【００３８】〜【００４９】）
　　
　以上の記載によれば、引用文献には、以下のような発明（以下、「引用発明」という。）が開示されていると認められる。
「ホスト１００及びデータ貯蔵装置２００を含み、
　データ貯蔵装置２００は、データを貯蔵するフラッシュメモリ２１０とホスト１００とフラッシュメモリ２１０でインターフェース役割を果たすコントローラ２２０とを含み、ホスト１００の立場から見るとき、データ貯蔵装置２００は、ハードディスクのように読み出し、書き込み、そして消去動作が自由である貯蔵媒体で認識され、フラッシュメモリ２１０はＦＡＴ領域２１１を含み、ＦＡＴ領域２１１にはＦＡＴ情報が貯蔵され、
　コントローラ２２０は、ホスト１００からアクセス要請があるとき、フラッシュメモリ２１０を制御するように構成され、
　データ貯蔵装置のマージ動作は、ファイルシステム観点で不要なページの複写を遂行しないことによって全体マージ動作時間を縮めることができるものであって、
　ＦＡＴ情報５４０は、データブロック５２０の当該ページの割り当て可否に関する情報、例えば、データブロック５２０の第１のページ５２１はファイルを貯蔵する場合に使用されないページなので、ＦＡＴ情報５４０にＮＡ（Ｎｏｔ　Ａｌｌｏｃａｔｉｏｎ）で表示され、データブロック５２０の第２のページ５２２は、ファイルを貯蔵している有効なページなので、ＦＡＴ情報５４０に割り当てを示すＡで表示され、データブロック５２０の第３及び第５のページ５２３、５２５に該当するＦＡＴ情報５４０には、ＮＡで表示され、データブロック５２０の第４のページ５２４は、ファイルを貯蔵している有効なページであるが、ファイルシステム観点では消されたページなので削除を示すＤで表示、すなわち、データブロック５２０の第４のページ５２４に貯蔵されたデータは、ＦＴＬ観点では有効なページであるが、ファイルシステム観点では削除されて有効ではないページであり、データブロック５２０の第４のページ５２４がファイルシステム観点で消されたデータを有していれば、当該ページのデータは新しいデータブロック５３０に複写されないようにすることを特徴とするメモリシステム４００。」
　　
第３　対比
　本願発明と引用発明とを対比する。
・引用発明の「データ貯蔵装置２００」は、「データを貯蔵するフラッシュメモリ２１０とホスト１００とフラッシュメモリ２１０でインターフェース役割を果たすコントローラ２２０とを含み、ホスト１００の立場から見るとき、」「ハードディスクのように読み出し、書き込み、そして消去動作が自由である貯蔵媒体で認識され」るものであるから、引用発明の「データ貯蔵装置２００」は、本願発明の「ソリッドステートドライブ（ＳＳＤ）」に相当するといえる。
・引用発明の「フラッシュメモリ２１０」は、「ＦＡＴ領域２１１」を有しており、ＦＡＴ領域は、一般に「ファイルシステム」によって使用される領域であるから、引用発明の「ホスト１００」は、「ファイルシステム」を用いるように構成されているといえる。
・引用発明の「ＦＡＴ情報５４０」に貯蔵された「データブロック５２０の当該ページの割り当て可否に関する情報」のうち、「データブロック５２０の第４のページ５２４は、ファイルを貯蔵している有効なページであるが、ファイルシステム観点では消されたページなので削除を示すＤで表示、すなわち、データブロック５２０の第４のページ５２４に貯蔵されたデータは、ＦＴＬ観点では有効なページであるが、ファイルシステム観点では削除されてさらに以上有効ではないページであり」の構成において、「データブロック５２０の第４のページ５２４」は、「ファイルシステム観点では消されたページ」であるから、本願発明の「ファイルシステムによって削除される情報に対応する、前記ＳＳＤにストアされたデータの部分」に相当するといえ、引用発明の「削除を示すＤで表示」は、本願発明の「無効の印を付けさせるように構成された」に相当するといえる。
　そうすると、引用発明の「メモリシステム４００」は、本願発明と同様に「ソリッドステートドライブ（ＳＳＤ）にストアされたデータに無効の印を付けるシステム」といいえるものである。
　
　したがって、両者は、
「ソリッドステートドライブ（ＳＳＤ）にストアされたデータに無効の印を付けるシステムであって、
　前記ＳＳＤに、ファイルシステムによって削除される情報に対応する、前記ＳＳＤにストアされた前記データの部分に無効の印を付けさせるように構成されたシステム。」
で一致するものであり、次の点で相違している。
　　
＜相違点＞
　本願発明は、「従来の入出力制御（ＩＯＣＴＬ）インターフェース及び新規なインターフェースを介してオペレーティングシステム及びそのファイルシステムと共に用いるように構成されたＳＳＤドライバー」であって、「前記新規なインターフェースが、前記ファイルシステムによって削除される情報のファイルの開始位置とファイル長を含む指示を前記オペレーティングシステムから受信するように構成されているもの」を含み、その「ＳＳＤドライバー」が、「前記ＳＳＤドライバーを前記ＳＳＤに接続して、前記ＳＳＤに、前記ファイルシステムによって削除される前記情報に対応する、前記ＳＳＤにストアされた前記データの部分に無効の印を付けさせるように構成された、他のインターフェースを含む」ものとされているのに対し、引用発明は、「ファイルシステム」と共に用いるように構成された「ＳＳＤドライバー」と、その「インターフェース」の構成について明らかではない点。　　
　　　
第４　当審の判断
　周知のＭＳ−ＤＯＳオペレーティングシステムにも見られるように、ＦＡＴファイルシステムが、デバイスドライバ（「ＳＳＤドライバー」に相当する。）を介してフラッシュメモリにアクセスし、ファイルを削除する際に、デバイスドライバに対し、そのファイルが使用していた論理ページを削除するように要求することや、デバイスドライバが、論理ページの削除要求に対して、対応する物理ページのページ状態を削除済みとすることは、本願優先権主張の日前に周知の技術である。
　これには、例えば、特開２００６−９９７９７号公報、「図１は、本発明の実施形態としての物理記憶デバイスドライバモジュール５（以下、ＰＤＭ５と記す）の位置付けを表している。図１に示すように、アプリケーションプログラム１からのファイルアクセスは、論理ファイルシステムモジュールであるＬＦＭ３によって論理ページ（セクタ）単位のアクセスとされる。つまり、ＬＦＭ３は、ディスク装置の論理セクタをアクセスするように、ＰＤＭ５に対してアクセスを行う。ＬＦＭ３は、ファイルアクセスを、論理ページ番号をアドレス指定単位とするアクセスにする機能を持つ他、主な機能としてＦＡＴ（File Allocation Table）の管理、パーティションの管理などを行う、一般的な論理ファイルシステムモジュールであるものとする。
【００１２】
　ＰＤＭ５は、ＬＦＭ３からアクセス要求として指定された論理ページ番号をもとに、ＰＤＭ５内で管理するフラッシュメモリＡ、またはＢ内のセグメント番号とオフセット（物理ページ番号）に対応する仮想アドレスを指定して、下位モジュールのメモリテクノロジドライバモジュール７（以下、MTDM７と記す）に対してアクセス要求を行う。MTDM７は、ＰＤＭ５からの仮想アドレスを、システム内の実メモリアドレスに変換してフラッシュメモリＡ、またはＢにアクセスする機能を提供する。」（段落【００１１】〜【００１２】）、「３１．上位モジュールのフラッシュメモリドライバへの特化
　ＬＦＭ３のような論理ファイルシステムモジュールが、使用しているメディアがディスクエミュレーションのフラッシュメモリドライバ(ＰＤＭ５)と認識した場合、ファイル削除時に、そのファイルが使用していたセクタ（論理ページ）を削除するように、ドライバ（ＰＤＭ５）に要求する構成とする。なお、ＰＤＭ５は、上述のように、論理ページの削除要求に対して、対応する物理ページのページの状態を削除済みにすることで対処する。
このような構成とすることによって、使用しなくなったページが、ＧＣ対象となるので、ＰＤＭ５におけるメモリの空き領域の把握が正確になる。新規ファイル書き込み時に、ページの上書きが起こらないので、書き込み速度が向上する。逆に、このような構成でない場合、上位の論理ファイルシステムモジュールがファイルを削除したとしても、ＰＤＭ５はそのことを認識することができず、次に上位の論理ファイルシステムモジュールがその領域（論理ページ）を使用する時に、ＰＤＭ５の書き込み処理においてページが上書きされることが初めてわかる。この場合、上記本実施形態の構成と比較して、上書き処理の速度の点で不利である。」（段落【００８５】）の記載、
特開２００６−１５５４６１号公報、「ディジタルビデオカメラ、ディジタルスチルカメラ、パーソナルコンピュータ、携帯情報端末、据え置き型ビデオレコーダー等では、ＭＳ−ＤＯＳ(Microsoft Disc OperatingSystem)（登録商標）互換のＦＡＴ(File Allocation Table)ファイルシステムが使用されて静止画や動画、音声（または音楽）といった各種データを記録することがなされている。例えば下記特許文献１、特許文献２および特許文献３には、一括消去型の半導体メモリ（以下フラッシュメモリと称する）としてのメモリカードに対してＦＡＴファイルシステムを適用するデータ記憶装置について記載されている。」（段落【０００２】）、「図５は、この発明の一実施形態において、ホスト例えば記録再生装置のＣＰＵの制御によって実行されるファイル削除時の処理の流れを示す。最初にステップＳ１１において、削除するファイルのディレクトリエントリを検索する。ステップＳ１２において、検索したディレクトリエントリの先頭の１バイト、すなわち、名前の先頭に対して削除マークとしてのコードＥ５ｈを書き込む。ステップＳ１１およびＳ１２は、従来の図４に示す処理におけるステップＳ１およびＳ２と同様のものである。
【００３８】
　ステップＳ１３において、ディレクトリエントリの先頭クラスタ番号から開始してＦＡＴを参照しながら終端位置ＥＯＦに到達するまで、ブロック単位で削除されるクラスタ番号が検索される。検索されたクラスタ番号を特定する情報例えば開始クラスタ番号およびブロック数の情報をリストして保持する。ステップＳ１４において、先頭クラスタ番号から終端位置ＥＯＦに達するまでＦＡＴエントリの内容をクリアする。」（段落【００３７】〜【００３８】）、「上述したこの発明の一実施形態および他の実施形態は、ソフトウェアによって実装可能であり、図１０に示すように、アプリケーション⇔ファイルシステム⇔デバイスドライバ⇔記録媒体の階層構造で実装される。アプリケーションがファイルレベルでファイルシステムに対してアクセス要求を行い、ファイルシステムがアクセスに対してファイルレベルでアクセス応答を行う。ファイルシステムは、デバイスドライバに対してクラスタレベルでアクセス要求を行い、デバイスドライバがファイルシステムに対してクラスタレベルでアクセス応答を行う。デバイスドライバは、記録媒体に対してセクタレベルでアクセス要求を行い、記録媒体がデバイスドライバに対してセクタレベルでアクセス応答を行う。
【００６２】
　図１１は、ファイルシステムの構成例を示す。ファイルシステム１１は、記録制御部１２およびメディア制御部１３からなる。記録制御部１２は、ディレクトリエントリ制御部１４、クラスタ制御部１５、ＦＡＴ制御部１６を有している。メディア制御部１３は、位置算出部１７を有している。デバイスドライバ１８がメディアとしての半導体メモリ１９を制御する。メディア制御部１３の位置算出部１７がデバイスドライバ１８と結合されている。記録制御部１２の処理として、上述したようなブロック単位で削除されるクラスタ群の判定、消去コマンドの発行、消去処理の実行等の処理が従来の処理に追加される。」（段落【００６１】〜【００６２】）の記載が参照される。
　一方、引用発明は、「ホスト１００の立場から見るとき、データ貯蔵装置２００は、ハードディスクのように読み出し、書き込み、そして消去動作が自由である貯蔵媒体で認識され、フラッシュメモリ２１０はＦＡＴ領域２１１にはＦＡＴ情報が貯蔵され」、「ＦＡＴ情報５４０は、データブロック５２０の当該ページの割り当て可否に関する情報、例えば、」「データブロック５２０の第４のページ５２４は、ファイルを貯蔵している有効なページであるが、ファイルシステム観点では消されたページなので削除を示すＤで表示、すなわち、データブロック５２０の第４のページ５２４に貯蔵されたデータは、ＦＴＬ観点では有効なページであるが、ファイルシステム観点では削除されて有効ではないページ」であるから、引用発明が、ホスト１００に、フラッシュメモリ２１０のＦＡＴ領域２１１に貯蔵するＦＡＴ情報を管理する「ファイルシステム」を備えるものであることは明らかであり、そこに上記周知技術が有用であることも当業者に明らかである。
　そうすると、引用発明において、上記周知技術を適用し、引用発明を「オペレーティングシステム及びそのファイルシステムと共に用いるように構成されたデバイスドライバ（「ＳＳＤドライバー」に相当する。）を有し、そのデバイスドライバが、ファイルシステムによって削除される情報の指示をオペレーティングシステムから受信するように構成され、ＳＳＤに、前記ファイルシステムによって削除される前記情報に対応する、前記ＳＳＤにストアされたページ（「データの部分」に相当する。）に削除を示すＤ（「無効の印」に相当する。）を表示させる（「付けさせる」に相当する。）」ものとすることは、当業者が容易になし得たことである。
　そして、「デバイスドライバがファイルシステムによって削除される情報の指示を受信するインターフェース」及び「デバイスドライバとＳＳＤを接続するインターフェース」を備えるものとすることは当然のことである。
　また、一般にインターフェースをどのような単位で１つのインターフェースとするかは当業者が適宜決定し得ることであるし、既存の構成の利用可能な部分を継続して利用することは、あらゆる分野でごく普通に行われていることであるから、「デバイスドライバがファイルシステムによって削除される情報の指示を受信するインターフェース」を従来の入出力制御（ＩＯＣＴＬ）インターフェースと共に用いる新規なインターフェースとすることは、当業者が適宜なし得たことである。
　さらに、削除されるファイルの情報を「ファイルの開始位置とファイル長を含む」ものとすることも、「ファイルの開始位置とファイル長」が削除されるファイルのデータが貯蔵されているフラッシュメモリ２１０の位置を特定するために必要な情報であることを考慮すれば、当業者が必要に応じて適宜なし得る設計事項である。
　したがって、引用発明において、ファイルシステムと共に用いるように構成されたデバイスドライバを本願発明の上記相違点の構成とすることは、当業者が容易になし得ることである。
　　　
　そして、本願発明の奏する作用効果も、引用発明に周知技術を適用したものから、当業者であれば予想できる範囲内のものである。　　　
　
　よって、本願発明は、引用発明及び周知技術に基づいて当業者が容易に発明をすることができたものである。
　　
第５　むすび
　以上のとおり、本願発明は、引用発明及び周知技術に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。